(57)【要約】  【課題】    撮像処理と通話処理とを的確なタイミングで行える撮像機能付き携帯電話を提供する。  【解決手段】  制御部８が、撮像モードが設定されているときに、受信部３１を介して外部の電話機より着信信号を受信した場合、ユーザーが通話を望めば撮像装置１００に撮像を行わせることなく、撮像に関する情報をメモリ７に記憶させ、且つ通話モードを強制的に設定するので、撮像処理のために、重要な用件を伝え損なうことがない。又、通話が終了した後は、メモリ７に記憶された撮像に関する情報を用いることで、迅速な撮像処理を行うことができ、それによりシャッターチャンスを損なう恐れが抑制される。【選択図】    図３
2005333296.tif 000002
【特許請求の範囲】
【請求項１】
外部の端末を介して通話可能な撮像機能付き携帯電話において、
撮像が可能な撮像モードと通話が可能な通話モードとを設定可能なモードスイッチと、
レリーズ操作を行えるレリーズスイッチと、
撮像モードが設定されているときに、前記レリーズスイッチがレリーズ操作されることに応動して、被写体を撮像処理する撮像手段と、
外部の端末と通信可能であり、通話モードが設定されているときに、外部の端末を介して通話処理を行う通信手段と、
制御手段と、
撮像に関する情報を記憶する記憶手段と、
着信を報知する報知手段と、を有し、
前記制御手段は、前記撮像モードが設定されているときに、前記通信手段を介して外部の端末より着信信号を受信したときは、前記報知手段を駆動して着信を報知し、更に前記モードスイッチの操作により前記通話モードに切り替えられた場合には、前記通信手段に通話処理を行わせると共に、撮像に関する情報を前記記憶手段に記憶させることを特徴とする撮像機能付き携帯電話。
【請求項２】
前記報知手段は、着信に関する情報を被写体像に重ねて表示するディスプレイを含むことを特徴とする請求項１に記載の撮像機能付き携帯電話。
【請求項３】
前記制御手段は、前記通信手段による通話処理が終了した後、前記記憶手段より、記憶された撮像に関する情報を読み出して、それに基づき前記撮像手段を設定することを特徴とする請求項１又は２に記載の撮像機能付き携帯電話。
【請求項４】
前記制御手段は、前記撮像モードが設定され且つ前記報知手段を駆動して着信を報知した後に、前記撮像モードが続行された場合には、前記通信手段による通話処理を行うことなく、前記レリーズスイッチのレリーズ操作に応じて、前記撮像手段に撮像処理を行わせることを特徴とする請求項１乃至３のいずれかに記載の撮像機能付き携帯電話。
【請求項５】
前記制御手段は、前記撮像手段による撮像処理が終了した後、前記通信手段に通話処理を行わせることを特徴とする請求項４に記載の撮像機能付き携帯電話。
【請求項６】
前記制御手段は、前記撮像手段による撮像処理の少なくとも一部と並行して、前記通信手段に通話処理を行わせることを特徴とする請求項４に記載の撮像機能付き携帯電話。
【請求項７】
前記撮像に関する情報は、表示画面の表示モード、光学的ズーム位置、デジタルズーム位置、フォーカス位置、露出値、ホワイトバランス、ＩＳＯ感度の少なくとも１つを含むことを特徴とする請求項１乃至６のいずれかに記載の撮像機能付き携帯電話。
【請求項８】
外部の端末を介して通話可能な撮像機能付き携帯電話において、
撮像が可能な撮像モードと通話が可能な通話モードとを設定可能なモードスイッチと、
レリーズ操作を行えるレリーズスイッチと、
前記レリーズスイッチがレリーズ操作されることに応動して、被写体を撮像処理する撮像手段と、
外部の端末と通信可能であり、外部の端末を介して通話処理を行う通信手段と、
制御手段と、を有し、
前記制御手段は、前記通信手段が通話処理を行っている間に、前記レリーズスイッチが操作されたこと、もしくは前記モードスイッチにより前記通話モードから前記撮影モードに切り替えられたことに応動し、前記通信手段の通話処理を中断して、前記撮像手段に撮像処理を行わせることを特徴とする撮像機能付き携帯電話。
【請求項９】
前記制御手段は、前記通信手段が通話処理を行っている間に、前記レリーズスイッチが操作されたこと、もしくは前記モードスイッチにより前記通話モードから前記撮影モードに切り替えられたことに応動し、前記通信手段に通話の保留を行わせることを特徴とする請求項８に記載の撮像機能付き携帯電話。
【請求項１０】
前記制御手段は、前記通信手段が通話処理を行っている間に、前記レリーズスイッチが操作されたこと、もしくは前記モードスイッチにより前記通話モードから前記撮影モードに切り替えられたことに応動し、通話相手のアドレスを記憶した上で前記通信手段に通話処理を強制的に終了させ、前記撮像手段の撮像処理後に、前記通信手段に記憶したアドレスにアクセスすることを特徴とする請求項８に記載の撮像機能付き携帯電話。
【請求項１１】
前記制御手段は、前記撮像手段による撮像処理の少なくとも一部と並行して、前記通信手段に通話処理を行わせることを特徴とする請求項１０に記載の撮像機能付き携帯電話。
【請求項１２】
外部の端末を介して通話可能な撮像機能付き携帯電話において、
レリーズ操作を行えるレリーズスイッチと、
前記レリーズスイッチがレリーズ操作されることに応動して、被写体を撮像処理する撮像手段と、
外部の端末と通信可能であり、外部の端末を介して通話処理を行う通信手段と、
制御手段と、を有し、
前記制御手段は、前記通信手段の通話処理と、前記撮像手段の撮像処理とを並行して行うことを特徴とする撮像機能付き携帯電話。
【請求項１３】
前記通信手段を介して外部の端末より着信信号を受信したことを示す報知手段を有することを特徴とする請求項８乃至１２のいずれかに記載の撮像機能付き携帯電話。
【請求項１４】
前記報知手段は、着信に関する情報を被写体像に重ねて表示するディスプレイを含むことを特徴とする請求項１３に記載の撮像機能付き携帯電話。
【発明の詳細な説明】
【技術分野】
【０００１】
本発明は、撮像機能付き携帯電話に関する。
【背景技術】
【０００２】
近年、撮像機能付き携帯電話が急速に発達し、例えば２００万画素の固体撮像素子を搭載したものも市販されている。ここで、通常の撮像機能付き携帯電話においては、被写体を撮像する場合には撮像モードを設定し、別な電話を介して通話を行う場合には、通話モードを設定するようになっている。しかるに、撮像モードの設定中に着信があると、撮像処理が妨げられる恐れがある。そこで、着信時には撮像を一時中断したり、撮像時には着信機能を停止させる構成が知られている。
【特許文献１】特開平１１−３１７７９３号公報
【発明の開示】
【発明が解決しようとする課題】
【０００３】
しかるに、特許文献１の技術によれば、例えば撮像モード時に着信があった場合、それにより撮像処理が中断されるので、通話が終了した後に、再度撮像を実行しようとすると、始めからやり直さねばならないので、撮像処理まで時間がかかり、その結果シャッターチャンスを逃してしまう恐れがある。
【０００４】
更にユーザー側から見ると、撮影中に着信があった場合、着信の相手と撮影する被写体によってどちらを優先にするかが決まってくるのであり、あらかじめ撮影優先モードや着信優先モードに設定しておくと、撮影がしたかったのに勝手に通話モードに切り替わってしまったり、重要な相手からの着信であるのに撮影モードのままということになってしまい使い勝手が悪い。
【０００５】
本発明は、これらの課題に鑑みてなされたものであり、撮像処理と通話処理とを的確なタイミングで行える撮像機能付き携帯電話を提供することを目的とする。
【課題を解決するための手段】
【０００６】
第１の本発明の撮像機能付き携帯電話は、外部の端末を介して通話可能な撮像機能付き携帯電話において、撮像が可能な撮像モードと通話が可能な通話モードとを設定可能なモードスイッチと、レリーズ操作を行えるレリーズスイッチと、撮像モードが設定されているときに、前記レリーズスイッチがレリーズ操作されることに応動して、被写体を撮像処理する撮像手段と、外部の端末と通信可能であり、通話モードが設定されているときに、外部の端末を介して通話処理を行う通信手段と、制御手段と、撮像に関する情報を記憶する記憶手段と、着信を報知する報知手段と、を有し、前記制御手段は、前記撮像モードが設定されているときに、前記通信手段を介して外部の端末より着信信号を受信したときは、前記報知手段を駆動して着信を報知し、更に前記モードスイッチの操作により前記通話モードに切り替えられた場合には、前記通信手段に通話処理を行わせると共に、撮像に関する情報を前記記憶手段に記憶させるので、ユーザーは着信があったことを前記報知手段により知らされ、従って前記モードスイッチの操作により通話が可能であるから、撮像処理のために重要な用件を伝え損なうことがない。又、通話が終了した後は、前記記憶手段に記憶された撮像に関する情報を用いることで、迅速な撮像処理を行うことができ、それによりシャッターチャンスを損なう恐れが抑制される。前記報知手段は、着信に関する情報を被写体像に重ねて表示するディスプレイを含むと、ユーザーが視覚を通じて情報を認識できるので、迅速な認識が可能である。尚、「外部の端末」とは、例えば外部の電話機の他、ＰＣやサーバー等を含む概念である。
【０００７】
従って、前記制御手段は、前記モードスイッチにより、強制的に設定された通話モードが撮像モードに切り替えられたときは、前記記憶手段より、記憶された撮像に関する情報を読み出して、それに基づき前記撮像手段を設定すると好ましい。
【０００８】
前記制御手段は、前記撮像モードが設定され且つ前記報知手段を駆動して着信を報知した後に、前記撮像モードが続行された場合には、前記通信手段による通話処理を行うことなく、前記レリーズスイッチのレリーズ操作に応じて、前記撮像手段に撮像処理を行わせると、シャッタチャンスを逃す恐れが抑制され好ましい。
【０００９】
前記制御手段は、前記撮像手段による撮像処理が終了した後、前記通信手段に通話処理を行わせると、前記制御手段の負担が減るので好ましい。
【００１０】
前記制御手段は、前記撮像手段による撮像処理の少なくとも一部と並行して、前記通信手段に通話処理を行わせると、処理時間が短縮されるので好ましい。
【００１１】
前記撮像に関する情報は、表示画面の表示モード、光学的ズーム位置、デジタルズーム位置、フォーカス位置、露出値、ホワイトバランス、ＩＳＯ感度の少なくとも１つを含むと好ましい。
【００１２】
第２の本発明の撮像機能付き携帯電話は、外部の端末を介して通話可能な撮像機能付き携帯電話において、撮像が可能な撮像モードと通話が可能な通話モードとを設定可能なモードスイッチと、レリーズ操作を行えるレリーズスイッチと、前記レリーズスイッチがレリーズ操作されることに応動して、被写体を撮像処理する撮像手段と、外部の端末と通信可能であり、外部の端末を介して通話処理を行う通信手段と、制御手段と、を有し、前記制御手段は、前記通信手段が通話処理を行っている間に、前記レリーズスイッチが操作されたこと、もしくは前記モードスイッチにより前記通話モードから前記撮影モードに切り替えられたことに応動し、前記通信手段の通話処理を中断して、前記撮像手段に撮像処理を行わせるので、シャッターチャンスを損なう恐れを抑制できる。
【００１３】
前記制御手段は、前記通信手段が通話処理を行っている間に、前記レリーズスイッチが操作されたこと、もしくは前記モードスイッチにより前記通話モードから前記撮影モードに切り替えられたことに応動し、前記通信手段に通話の保留を行わせると好ましい。
【００１４】
前記制御手段は、前記通信手段が通話処理を行っている間に、前記レリーズスイッチが操作されたこと、もしくは前記モードスイッチにより前記通話モードから前記撮影モードに切り替えられたことに応動し、通話相手のアドレスを記憶した上で前記通信手段に通話処理を強制的に終了させ、前記撮像手段の撮像処理後に、前記通信手段に記憶したアドレスにアクセスすると好ましい。ここで、「アドレス」とは電話番号の他、ＩＰアドレス等を含む概念である。従って、「アクセス」とは電話をかけることの他、他のＰＣやサーバーに対して通信可能な状態にすることを含む。
【００１５】
前記制御手段は、前記撮像手段による撮像処理の少なくとも一部と並行して、前記通信手段に通話処理を行わせると好ましい。
【００１６】
第３の本発明の撮像機能付き携帯電話は、外部の端末を介して通話可能な撮像機能付き携帯電話において、レリーズ操作を行えるレリーズスイッチと、前記レリーズスイッチがレリーズ操作されることに応動して、被写体を撮像処理する撮像手段と、外部の端末と通信可能であり、外部の端末を介して通話処理を行う通信手段と、制御手段と、を有し、前記制御手段は、前記通信手段の通話処理と、前記撮像手段の撮像処理とを並行して行うので、シャッターチャンスを逃す恐れを回避することもでき、また緊急の用件を聞き逃す恐れも回避できる。
【００１７】
前記通信手段を介して外部の端末より着信信号を受信したことを示す報知手段を有すると、ユーザーが着信を認識できるので好ましい。
【００１８】
前記報知手段は、着信に関する情報を被写体像に重ねて表示するディスプレイを含むと、ユーザーが視覚を通じて情報を認識できるので、迅速な認識が可能である。
【発明の効果】
【００１９】
本発明によれば、撮像処理と通話処理とを的確なタイミングで行える撮像機能付き携帯電話を提供することができる。
【発明を実施するための最良の形態】
【００２０】
以下、本発明の実施の形態を図面を用いて説明する。図１は、本実施の形態にかかる撮像機能付き携帯電話Ｔの正面図（ａ）及びその背面図（ｂ）である。かかる携帯電話Ｔについて説明する。図１に示すように、携帯電話Ｔは、表示画面（ディスプレイともいう）１７４を備えたケースとしての上筐体１７１と、操作ボタン群１６を備えた下筐体１７２とがヒンジ１７３を介して連結されている。レンズとＣＣＤとを含む撮像装置１００は、上筐体１７１の内表面側（表示画面１７４を有する側）の表示画面１７４の下方に内蔵されており、撮像装置１００（光学部材１０１）内へと、レンズ４２（図２）を介して上筐体１７１の外表面から光を取り込めるようになっている。
【００２１】
下筐体１７２の側面には、モードスイッチ４１が配置されている。モードスイッチ４１は、図に示す中央位置から上方及び下方にスライド可能となっており、通常このモードスイッチ４１は中央位置にあるが、上方にスライドさせると、それに応じて制御部８（図２）が通話モードから撮影モードに切り替える。撮影モード中は上方にスライドしても切り替わらないが、撮影中に着信があった場合には撮影モードが優先される。一方、撮影モード中にモードスイッチ４１を下方にスライドさせると、制御部８は撮影モードから通話モードに切り替える。通話モード中に下方にスライドさせても切り替わらない。このモードスイッチ４１は中立スイッチになっており、スライドさせて手を離すと中央位置に戻るため、操作しない限り常に中央位置にあることになる。
【００２２】
図２は、本実施の形態にかかる撮像機能付き携帯電話Ｔの構成を示すブロック図である。通話モードが設定されている場合、図２において、送話部２では、例えばコンデンサマイク２１などから使用者の発する音声が、このマイク２１を介して音声信号に変換された後、音声コーデック１１、チャネルコーデック１２、変調部２２を介して送信部２３へ出力され、ＳＷＩＣ１３によりダイバーシティアンテナ１４から、外部の電話機等を介して通話相手へ送信される。
【００２３】
一方、受話部３では、通話相手からの送信信号を前述のダイバーシティアンテナ１４を介してＳＷＩＣ１３により受信部３１で受信すると、復調部３２、チャネルコーデック１２、音声コーデック１１を介して通話相手の音声がレシーバ３３やスピーカ３４などから聞き取れるように構成されている。
【００２４】
撮像装置１００は、図２に示すように、表示画面１７４や操作ボタン群１６を設けた前面側とは反対の背面側にレンズ４２を設けており、撮像モードが設定されている場合、撮影した映像がこのレンズ４２を介してＣＣＤなどの撮像素子４３に結像するようになっている。尚、図示していないが、レンズ４２は合焦位置になるよう光軸方向に駆動可能な構成となっている。また、この実施形態の撮像装置１００は、撮像モード時に、操作ボタン群１６のうちレリーズスイッチＲを操作することで、撮像処理を行い、それにより得られた画像信号がメモリ７に記憶されるようになっている。本実施の形態においては、撮像部１００が撮像手段を構成し、受信部３１及び送信部２３を含む送話部２及び受話部３が通話手段を構成し、制御部８が制御手段を構成し、メモリ７が記憶手段を構成し、表示手段Ｄが報知手段を構成する。
【００２５】
メモリ７は、撮像装置１００で撮像した画像を登録しておくためのものであり、この実施形態では、制御部８により静止画像のみを登録させているが、動画像を登録するように構成してもよい。また、このメモリ７は、制御部８の制御下で、撮影に関する情報を記憶するようになっている。
【００２６】
図３は、本実施の形態にかかる撮像機能付き携帯電話Ｔの動作の一例を示す梯子チャート図である。図４（ａ）は、表示画面１７４の表示例を示す図である。この例では既に撮像モードに設定されているものとする。まず、図３のステップＳ１０１で、ユーザーがＳ１処理（ここではモードスイッチ４１を用いて撮像モードを設定することをいう）を行ったものとする。それに応じて、撮像機能付き携帯電話Ｔの制御部８は、撮像装置１００を制御して、フォーカシングを行い合焦位置にレンズ４２を移動させ、撮像素子４３を取り込んだ画像をプレビュー表示し（図４（ａ）参照）、露出値やホワイトバランス値を決定し、Ｓ２スイッチ操作（レリーズ操作のこと、以下同じ）を待つ。
【００２７】
この時点で、受信部３１を介して着信があったものとする。受信部３１は、制御部８に着信信号を送信する。このとき、制御部８は、表示画面１７４を駆動して、ステップＳ１０３において、プレビュー表示に重ねて着信があった旨及び相手先の番号を表示し（図４（ｂ）参照）、ユーザーの操作を待つ。
【００２８】
ステップＳ１０３で表示画面１７４に表示された相手先の番号を確認したユーザーが、撮像より通話する方が大事であると判断し、モードスイッチ４１を下方に操作すると（ステップＳ１０４）、制御部８は、ユーザーが撮像より通話を優先したと判断し、撮像モードを通話モードに切り替えて、撮像装置１００に撮像処理を中断するコマンドを送信する。これに応じて、撮像装置１００からメモリ７に、撮像に関する情報としての決定されたフォーカス位置、露出値、ホワイトバランス値等の情報を記憶する（ステップＳ１０５）。ユーザーは、その間、着信した相手と通話を行うことができる。この場合にモードスイッチ４１を下方に操作するかわりに、操作ボタン群１６のうち、レリーズスイッチＲをのぞく予め定められたいずれかのスイッチを操作することでも構わない。
【００２９】
その後、通話を終了したユーザーが、操作ボタン群１６の通話終了ボタンを操作する（モードスイッチ４１を上方に操作しても良い）と、制御部８は、通話モードを撮像モードに切り替えて、通話処理を終了し、且つ撮像装置１００に撮像を再開するコマンドを送信する。これに応じて、撮像装置１００は、メモリ７から、記憶されたフォーカス位置、露出値、ホワイトバランス値等の情報を読み出して、再度撮影可能な状態にする（ステップＳ１０７）。その後、ステップＳ１０８で、ユーザーがレリーズスイッチＲを操作することでＳ２処理（レリーズ信号を発生させることをいう）を行うと、それに応じて、ステップＳ１０９において、制御部８は撮像装置１００に撮像処理を実行させ画像の取り込みを行って、制御部８に撮像完了信号を送信した後、ステップＳ１１０で、得られた画像信号を画像処理してメモリ７に記憶する。
【００３０】
本実施の形態によれば、制御部８が、撮像モードが設定されているときに、受信部３１を介して外部の電話機より着信信号を受信した場合、ユーザーが通話を望めば撮像装置１００に撮像を行わせることなく、撮像に関する情報をメモリ７に記憶させ、且つ通話モードを強制的に設定するので、撮像処理のために、重要な用件を伝え損なうことがない。又、通話が終了した後は、メモリ７に記憶された撮像に関する情報を用いることで、迅速な撮像処理を行うことができ、それによりシャッターチャンスを損なう恐れが抑制される。
【００３１】
図５は、本実施の形態にかかる撮像機能付き携帯電話Ｔの動作の別な例を示す梯子チャート図である。まず、図５のステップＳ２０１で、ユーザーがＳ１処理を行ったものとする。それに応じて、撮像機能付き携帯電話Ｔの制御部８は、撮像装置１００を制御して、フォーカシングを行い合焦位置にレンズ４２を移動させ、撮像素子４３を取り込んだ画像をプレビュー表示し（図４（ａ）参照）、露出値やホワイトバランス値を決定し、Ｓ２スイッチ操作を待つ。
【００３２】
この時点で、受信部３１を介して着信があったものとする。受信部３１は、制御部８に着信信号を送信する。このとき、制御部８は、表示画面１７４を駆動して、ステップＳ１０３において、プレビュー表示に重ねて着信があった旨及び相手先の番号を表示し（図４（ｂ）参照）、ユーザーの操作を待つ。
【００３３】
このとき、ステップＳ２０４において、ユーザーがレリーズスイッチＲを操作することでＳ２スイッチ操作を検出すると、制御部８は、ユーザーが通話よりも撮像を優先したと判断し、受信部３１に通話を保留とするコマンドを送信すると共に、撮像装置１００に撮像を指示するコマンドを送信する。これに応じて、受信部３１は着信を保留状態にし、撮像装置１００は、決定されたフォーカス位置、露出値、ホワイトバランス値等で撮像処理を実行し、画像の取り込みを行い、制御部８に撮像完了信号を送信した後、ステップＳ２０６で、得られた画像信号を画像処理してメモリ７に記憶する。尚、ステップＳ２０４でレリーズスイッチＲのかわりに、スライドスイッチ４１を上方にスライドさせることで受信部３１に着信を保留するコマンドを送信し、改めてレリーズスイッチＲを操作してＳ２処理を行っても良い。
【００３４】
撮像完了信号を受信した制御部８は、ステップＳ２０７で、受信部３１の保留状態が続行していることを確認し、撮像モードから通話モードに切り替えて、受信部３１に通話を再開するコマンドを送信する。これに応じて、受信部３１は相手先との回線を開き、ユーザーが通話を行うことが可能となる。尚、ステップＳ２０６の画像処理等は、通話処理と並行して行うことができる。このような並行処理は、ある短い時間で時分割を行い、その単位時間ごとに、撮像装置１００の動作と、受信部３１と送信部２３の動作を交互に行わせることができ、それにより見かけ上、撮像と通話の処理が同時に行われることとなる。画像処理等が完了した時には、制御部８は完了信号を受信する。
【００３５】
画像取込動作が終了した場合に、着信を継続せずに更に撮影を継続したい場合もある。本実施の形態では、画像取り込みが完了すると撮像モードから通話モードに切り替えるが、ここでレリーズスイッチＲの操作又はモードスイッチ４１の上方へのスライド操作が行われた場合、制御部８は、再び受信部３１と送信部２３を待機させ、撮像部１００を継続して動作させることも可能である。
【００３６】
尚、制御部８が、撮像完了信号を受信した時点で、相手先が電話を切ったため受信部３１の保留状態が継続されていない場合、又はユーザーが通話するためのボタン操作を行わなければ、制御部８は、受信部３１に対して通話を指示するコマンドは送信しない。しかしながら、相手先の電話番号などがわかっている場合、送信部２３を介して、着信した相手先に自動的に電話をかける設定としても良い。
【００３７】
本実施の形態によれば、制御部８が、制御部８が撮像モードが設定されている時に受信部３１を介して外部の電話機より着信信号を受信した場合、ユーザーが撮影を継続することを選択した場合には、受信部３１の通話処理を中断して、撮像装置に撮像処理を行わせるのでシャッターチャンスを損なう恐れを抑制できる。
【００３８】
図６は、本実施の形態にかかる撮像機能付き携帯電話Ｔの動作の別な例を示す梯子チャート図である。ここでは、通話モードで待ち受け状態にあるものとし、その状態で着信があった場合、まず、図６のステップ３０１で、制御部８は、表示画面１７４を介して着信表示を行う。制御部８が、受信部３１及び送信部２３を制御することで、通話が可能となる。
【００３９】
このとき、ステップＳ３０２において、ユーザーがモードスイッチ４１を上方にスライドすることでＳ１処理を行うと、制御部８は、ユーザーが通話よりも撮像を優先したと判断し、通話モードから撮影モードに切り替えて、受信部３１に通話を保留とするコマンドを送信すると共に、撮像装置１００に撮像準備を指示するコマンドを送信する（直接、レリーズスッチＲを操作してＳ１処理を行ってもよい）。これに応じて、受信部３１は着信を保留状態にし（ここでは基地局との最低限の通信動作は間欠的に行われているものとする）、撮像装置１００は、フォーカシングを行い合焦位置にレンズ４２を移動させ、撮像素子４３を取り込んだ画像をプレビュー表示し（図４（ａ）参照）、露出値やホワイトバランス値を決定し、準備完了信号を制御部８に送信して、Ｓ２スイッチ操作を待つ。
【００４０】
その後、ステップＳ３０４において、ユーザーがレリーズスイッチＲを操作することでＳ２処理を行うと、制御部８は、撮像装置１００に撮像を指示するコマンドを送信する。これに応じて、ステップＳ３０５で、撮像装置１００は、決定されたフォーカス位置、露出値、ホワイトバランス値等で撮像処理を実行し、画像の取り込みを行い、制御部８に撮像完了信号を送信した後、ステップＳ３０６で、得られた画像信号を画像処理してメモリ７に記憶する。
【００４１】
撮像完了信号を受信した制御部８は、ステップＳ３０７で、受信部３１の保留状態が続行していることを確認し、撮像モードから通話モードに切り替えて、受信部３１に通話を再開するコマンドを送信する。これに応じて、受信部３１は相手先との回線を開き、ユーザーが通話を行うことが可能となる。尚、ステップＳ３０６の画像処理等は、通話処理と並行して行うことができる。画像処理等が完了した時には、制御部８は完了信号を受信する。
【００４２】
画像取込動作が終了した場合に、着信を継続せずに更に撮影を継続したい場合もある。本実施の形態では、画像取り込みが完了すると撮像モードから通話モードに切り替えるが、ここでモードスイッチ４１の上方へのスライド操作かレリーズスイッチＲの操作がなされた場合、制御部８は、再び受信部３１と送信部２３を待機させ、撮像部１００を継続して動作させることも可能である。
【００４３】
本実施の形態によれば、制御部８が、受信部３１が通話処理を行っている間に、モードスイッチ４１の上方へのスライド操作かレリーズスイッチＲの操作がなされたことに応動し、受信部３１の通話処理を中断して、撮像装置１００に撮像準備及び撮像処理を行わせるので、シャッターチャンスを損なう恐れを抑制できる。
【００４４】
尚、制御部８が高性能であれば、撮像装置１００と、受信部３１及び送信部２３の双方を、上述した時分割処理等を駆使して並行して制御できるため、撮像モード・通話モードのモード設定に限らず、撮像処理と通話処理を同時に行える。
【００４５】
以上、本発明を実施の形態を参照して説明してきたが、本発明は上記実施の形態に限定して解釈されるべきではなく、適宜変更・改良が可能であることはもちろんである。本実施の形態においては、撮像モードと通話モードの設定をモードスイッチで切り替えて行い、撮像モード設定と同時に、フォーカシング処理などを実行しているが、例えばレリーズスイッチＲを半押し及び全押しできるようにし、半押しによりＳ１処理（すなわち撮像モードの設定）を行い、全押しによりＳ２処理を行うようにしても良い。又、本発明の報知手段としては、表示画面１７４の表示に限らず、着信により発光するアンテナ、着信により振動するバイブレータ等であっても良いことはいうまでもない。
【図面の簡単な説明】
【００４６】
【図１】本実施の形態にかかるフラッシュユニットを搭載する撮影機能付き携帯電話Ｔの正面図（ａ）及びその背面図（ｂ）である。
【図２】本実施の形態にかかる撮像機能付き携帯電話Ｔの構成を示すブロック図である。
【図３】本実施の形態にかかる撮像機能付き携帯電話Ｔの動作の一例を示す梯子チャート図である。
【図４】表示画面１７４の表示例を示す図である。
【図５】本実施の形態にかかる撮像機能付き携帯電話Ｔの動作の別な例を示す梯子チャート図である。
【図６】本実施の形態にかかる撮像機能付き携帯電話Ｔの動作の更に別な例を示す梯子チャート図である。
【符号の説明】
【００４７】
１１ 音声コーデック
１２ チャネルコーデック
１４ ダイバーシティアンテナ
１６ 操作ボタン群
２１ コンデンサマイク
２１ マイク
２２ 変調部
２３ 送信部
３１ 受信部
３２ 復調部
３３ レシーバ
３４ スピーカ
４２ レンズ
４３ 撮像素子
１００  撮像装置
１７４ 表示画面
Ｒ レリーズスイッチ
【図１】
2005333296.tif 000003
【図２】
2005333296.tif 000004
【図３】
2005333296.tif 000005
【図４】
2005333296.tif 000006
【図５】
2005333296.tif 000007
【図６】
2005333296.tif 000008